(57)【要約】      （修正有）【課題】ターミナルベース部材の複雑な形状を簡単にできるとともに分割された部分の汎用性を図ることができ、更に、ターミナルをインサートする成型作業がし易い。ターミナルベース部材を製造しやすいとともに生産コストを低額化できる電気接続箱を提供する。【解決手段】ボックス本体１０の天板１２にリレー取付部１３を設けるとともに前記ボックス本体の内部にターミナルベース部材６０を設置する。前記リレー取付部にリレー端子貫通孔１４を設ける。前記天板における前記リレー端子貫通孔１４の裏面にメス端子ブロック３０を設置するとともに前記ターミナルベース部材からオス端子を突設し、前記メス端子ブロックを介して前記リレーのオス端子７１と前記ターミナルベースのオス端子とを接続する。前記ターミナルベース部材を複数のターミナルベース構成部材６１、６２を重ねることにより構成する。【選択図】図５
0003171113.tif 000002
【実用新案登録請求の範囲】
【請求項１】
ボックス本体の天板にリレー取付部を設けるとともに前記ボックス本体の内部にターミナルベース部材を設置し、前記リレー取付部にリレー端子貫通孔を設け、前記天板における前記リレー端子貫通孔の裏面にメス端子ブロックを設置するとともに前記ターミナルベース部材からオス端子を突設し、前記メス端子ブロックを介して前記リレーのオス端子と前記ターミナルベースのオス端子とを接続する電気接続箱において、前記ターミナルベース部材を複数のターミナルベース構成部材を重ねることにより構成したことを特徴とする電気接続箱。
【請求項２】
前記ターミナルベース構成部材を水平方向に分割して複数にしたことを特徴とする請求項１の電気接続箱。
【請求項３】
前記枠体に対して前記メス端子ブロックは係止可能であることを特徴とする請求項１又は請求項２の電気接続箱。
【請求項４】
前記メス端子ブロックには端子嵌挿孔が形成されているとともにこの端子嵌挿孔に中継用メス端子が嵌着され、この中継用メス端子の上端に前記リレーのオス端子が嵌挿可能であるとともに同下端に前記ターミナルベースのオス端子を嵌挿されていることを特徴とする請求項１，請求項２又は請求項３の電気接続箱。
【考案の詳細な説明】
【技術分野】
【０００１】
この考案は電気接続箱に関し、例えば自動車用リレーボックスとして使用されるものである。
【背景技術】
【０００２】
従来におけるこの種の電気接続箱（自動車用リレーボックス）においては、リレー取付部におけるリレー端子貫通孔にリレーを嵌挿し、このリレー端子貫通孔を貫通したリレーのオス端子に、タ−ミナルベースから延びるハーネスの端子を接続していた。
【０００３】
しかしながら、かかる従来の自動車用リレーボックスにあっては、タ−ミナルベースとリレーのオス端子とをハーネスによって各々接続しなければならない結果、この接続に手間がかかるとともにボックス内が複数のハーネスによって乱雑にならざるを得ないという欠点を有した。
この欠点を解消するために、考案者は、ボックス本体の天板の裏側にメス端子ブロックを設置し、このメス端子ブロックを介して前記リレーのオス端子と前記ターミナルベースのオス端子とを接続する電気接続箱（自動車用リレーボックス）を案出し、既に特許出願している（特願２０１０−２２９１８３）。
【０００４】
【特許文献１】特開２００４−２１５４１８号公報
【考案の開示】
【考案が解決しようとする課題】
【０００５】
この考案の課題は、前記特許出願（特願２０１０−２２９１８３）済の発明を更に改良したものであり、前記ターミナルベースの複雑な形状を簡単にして組立性を向上させるとともにターミナルをインサートする成型作業を容易にした電気接続箱を提供することである。
【課題を解決するための手段】
【０００６】
この考案に係る電気接続箱においては、ボックス本体の天板にリレー取付部を設けるとともに前記ボックス本体の内部にターミナルベース部材を設置し、前記リレー取付部にリレー端子貫通孔を設け、前記天板における前記リレー端子貫通孔の裏面にメス端子ブロックを設置するとともに前記ターミナルベース部材からオス端子を突設し、前記メス端子ブロックを介して前記リレーのオス端子と前記ターミナルベースのオス端子とを接続する電気接続箱において、前記ターミナルベース部材を複数のターミナルベース構成部材を重ねることにより構成したものである。
【０００７】
この場合、前記ターミナルベース構成部材を水平方向に分割して複数にすることができる。
【０００８】
また、前記枠体に対して前記メス端子ブロックは係止可能にすることができる。
【０００９】
更に、前記メス端子ブロックには端子嵌挿孔が形成されているとともにこの端子嵌挿孔に中継用メス端子が嵌着され、この中継用メス端子の上端に前記リレーのオス端子が嵌挿可能であるとともに同下端に前記ターミナルベースのオス端子を嵌挿することができるものである。
【考案の効果】
【００１０】
この考案に係る電気接続箱は上記のように構成されているため、即ち、ボックス本体の天板にリレー取付部を設けるとともに前記ボックス本体の内部にターミナルベース部材を設置し、前記リレー取付部にリレー端子貫通孔を設け、前記天板における前記リレー端子貫通孔の裏面にメス端子ブロックを設置するとともに前記ターミナルベース部材からオス端子を突設し、前記メス端子ブロックを介して前記リレーのオス端子と前記ターミナルベースのオス端子とを接続する電気接続箱において、前記ターミナルベース部材を複数のターミナルベース構成部材を重ねることにより構成したため、前記ターミナルベース部材の複雑な形状を簡単にできるとともに分割された部分の汎用性を図ることができ、更に、ターミナルをインサートする成型作業がし易いものである。
【００１１】
よって、この電気接続箱を使用すれば、前記ターミナルベース部材を製造しやすいとともに生産コストを低額化できるものである。
【００１２】
この場合、前記ターミナルベース構成部材を水平方向に分割して複数にすれば、前記ターミナルベース部材の形状をさらに簡単にできるとともに分割された部分の汎用性をさらに図ることができ、更にターミナルのインサートがより一層容易になる。
【００１３】
また、前記枠体に対して前記メス端子ブロックを係止可能にすれば、このメス端子ブロックの位置決めが安定化しやすいものである。
【００１４】
更に、前記メス端子ブロックに端子嵌挿孔を形成するとともにこの端子嵌挿孔に中継用メス端子を嵌着し、この中継用メス端子の上端に前記リレーのオス端子を嵌挿可能いするとともに同下端に前記ターミナルベースのオス端子を嵌挿可能とすれば、このメス端子ブロックを製造しやすいとともに前記枠体に対して設置しやすいものである。
【考案を実施するための最良の形態】
【００１５】
この考案に係る電機接続箱は実施するにあたって下記の構成に最も主要な特徴を有する。
【００１６】
ボックス本体の天板にリレー取付部を設ける。前記ボックス本体の内部にターミナルベース部材を設置する。前記リレー取付部にリレー端子貫通孔を設ける。前記天板における前記リレー端子貫通孔の裏面にメス端子ブロックを設置する。前記ターミナルベース部材からオス端子を突設する。前記メス端子ブロックを介して前記リレーのオス端子と前記ターミナルベースのオス端子とを接続する。
【００１７】
前記ターミナルベース部材を複数のターミナルベース構成部材を重ねることにより構成する。
【００１８】
前記ターミナルベース構成部材を重ね方向に分割し、水平方向に２つに分割する。
【００１９】
前記枠体に対して前記メス端子ブロックは係止する。
【００２０】
前記メス端子ブロックには端子嵌挿孔が形成されている。この端子嵌挿孔には中継用メス端子が嵌着されている。この中継用メス端子の上端に前記リレーのオス端子が嵌挿可能であるとともに同下端に前記ターミナルベースのオス端子が嵌挿される。
【実施例】
【００２１】
以下、この考案の実施例を図面に基づいて説明する。
【００２２】
図１はこの電機接続箱の斜視図、図２は同平面図、図２は同平面図、図３は図２におけるII矢視図、図４は図２におけるIV-IV断面図、図５は図２におけるＶ−Ｖ線断面図、図６〜図９はターミナルベース構成部材を重ね方向に分割したものの斜視図である。
【００２３】
図１〜図５において、Ｂはこの考案に係る自動車用リレーボックス（この考案の「電気接続箱」に相当する）、１０はそのボックス本体である。このボックス本体１は樹脂製であり、長方形状の筒体１１とその筒体１１の上面を覆う天板１２とで一体形成されている。１３，１３，…はリレー取付部であり、前記天板１２の表面に形成されている。このリレー取付部１３，１３，…には必要とするリレー７０，７０，…が設置される。１４，１４，…はリレー端子貫通孔であり、前記天板１２における前記リレー取付部１３に形成されている。このリレー端子貫通孔１４には前記リレー７０のオス端子７１が貫通する（図４，図５を参照のこと）。
【００２４】
次に、２１，２１，…は枠部であり、前記天板１２（ボックス本体１の）の裏面に一体形成されている。この枠部２１は前記リレー取付部１３の裏側に位置し、前記リレー端子貫通孔１４を取り囲んでいる。また、この枠部２１の４隅は連結していないため、各片が弾力的に揺動することができる。
【００２５】
図４及び図５において、３０はメス端子ブロックであり、前記枠部２１（ボックス本体１の）に弾性的に嵌着されている。
【００２６】
４０，４０，…は端子嵌挿孔であり、前記メス端子ブロック３０に形成されている。この端子嵌挿孔４０は前記上下方向に貫通している。５０，５０，…は中継用メス端子であり、前記端子嵌挿孔４０に嵌着され、この端子５０自体の弾性によって固定されている。この中継用メス端子５０は前記端子嵌挿孔４０の上端から下端まで延びている。なお、前記メス端子ブロック３０を前記枠部２１（ボックス本体１の）に嵌着したときには、前記端子嵌挿孔４０は前記リレー端子貫通孔１４（天板１２の）に一致している。このため、このリレー端子貫通孔１４（天板１２の）にリレー７０のオス端子７１を貫通させることによって、このオス端子７１を前記中継用メス端子５０（メス端子ブロック３０の）に嵌着することができる。
【００２７】
６０はターミナルベース部材であり、前記ボックス本体１の内部に設置されている。このターミナルベース部材６０は２層のターミナルベース構成部材６１，６２を積層したものであり、枠体８０内に収容され表面はカバー板８１で覆われている。６３，６３，…はターミナルであり、各々ターミナルベース構成部材６１，６２にインサートされ、その先端はオス端子として上方に突出している。この突出位置は前記メス端子ブロック３０の相応する前記端子嵌挿孔４０に一致している。このため、前記ターミナルベース部材６０を前記ボックス本体１に配置しながら、前記ターミナルベース構成部材６１，６２のオス端子６３を前記中継用メス端子５０（メス端子ブロック３０の）に嵌着することができる。
【００２８】
６４，６４，…は端子貫通孔であり、各々ターミナルベース構成部材６１，６２に形成されている。この端子貫通孔６４，６４，…はターミナルベース構成部材６１を重ねた際に下方のターミナルベース構成部材６２オス端子（ターミナル６３の）が貫通するためのものである。なお、前記カバー板８１にも端子貫通孔８３が形成されている。
【００２９】
また、前記ターミナルベース構成部材６１，６２は図６〜図９に示すように、水平方向に分割して複数にすることもできる。このように、分割すれば、前記ターミナルベース部材６１，６２の一部の汎用性を高めることができる。なお、図６は前記ターミナルベース構成部材６１を分割した片方の裏面斜視図、図７は同他方の表面斜視図、また、図８は前記ターミナルベース構成部材６２を分割した片方の表面斜視図、図７は同他方の裏面斜視図である。
【００３０】
なお、８２は前記ターミナルベース６０に設置されたコネクタ受け口である。
【産業上の利用可能性】
【００３１】
この考案に係る電気接続箱は、前記ターミナルベース部材の複雑な形状を簡単にできるとともに分割された部分の汎用性を図ることができ、更に、ターミナルをインサートする成型作業がし易いものである。よって、前記ターミナルベース部材を製造しやすいとともに生産コストを低額化でき、産業上の利用可能性は高いものである。
【図面の簡単な説明】
【００３２】
【図１】図１はこの電機接続箱の斜視図である。
【図２】図２は同平面図である。
【図３】図３は図２におけるII矢視図である。
【図４】図４は図２におけるIV-IV断面図である。
【図５】図５は図２におけるＶ−Ｖ線断面図である。
【図６】図６はターミナルベース構成部材を重ね方向に分割したものを示す裏面斜視図である。
【図７】図７はターミナルベース構成部材を重ね方向に分割したものを示す表面斜視図である。
【図８】図８はターミナルベース構成部材を重ね方向に分割したものを示す表面斜視図である。
【図９】図９はターミナルベース構成部材を重ね方向に分割したものを示す裏面斜視図である。
【符号の説明】
【００３３】
Ｂ  …  自動車用リレーボックス
１０  …  ボックス本体
１１  …  筒体１１
１２  …  天板
１３  …  リレー取付部
１４  …  リレー端子貫通孔
２１  …  枠部
３０  …  メス端子ブロック
４０  …  端子嵌挿孔
５０  …  中継用メス端子
６０  …  ターミナルベース部材
６１  …  ターミナルベース構成部材
６２  …  ターミナルベース構成部材
６３  …  ターミナル
６４  …  端子貫通孔
７０  …  リレー
７１  …  オス端子（リレーの）
８０  …  枠体
８１  …  カバー板
８２  …  コネクタ受け口
【図１】
0003171113.tif 000003
【図２】
0003171113.tif 000004
【図３】
0003171113.tif 000005
【図４】
0003171113.tif 000006
【図５】
0003171113.tif 000007
【図６】
0003171113.tif 000008
【図７】
0003171113.tif 000009
【図８】
0003171113.tif 000010
【図９】
0003171113.tif 000011